(57)【特許請求の範囲】
【請求項１】
トラクタ（１）に対地作業機（１４）を昇降自在に支持させる昇降シリンダ（６３）を設けると共に、対地作業機（１４）を左右傾斜調節自在に支持させる水平シリンダ（６５）を設け、昇降シリンダ（６３）の昇降制御油量と水平シリンダ（６５）の水平制御油量を、作業モードによって自動的に変更するコントローラ（７９）を設ける移動農機において、
水平シリンダ（６５）の制御油量または昇降シリンダ（６３）の制御油量の一方を増大させもう一方を減少させる切換バルブ（７３）と、
ロータリ作業機（１４）の上昇によってエンジン（２）の回転を下げかつ下降によってエンジン（２）の回転を上げる枕地旋回スイッチ（７５）と、
圃場枕地を耕耘しながら走行するときにオンにすることにより、水平シリンダ（６５）の水平制御油量を増加させ、かつ昇降シリンダ（６３）の昇降制御油量を減少させる枕地耕耘スイッチ（８５）とを設け、
ロータリ作業機（１４）の上昇によってエンジン（２）の回転を下げかつ昇降シリンダ（６３）の制御油量を増加させる一方、
ロータリ作業機（１４）の下降によってエンジン（２）の回転を上げて元に戻しかつ水平シリンダ（６５）の制御油量を増加させることを特徴とする移動農機。
【発明の詳細な説明】
【０００１】
【産業上の利用分野】
本発明は、耕耘作業を行う耕耘ロータリ作業機またはプラウなどをトラクタによって牽引する移動農機に関する。
【０００２】
【従来の技術】
従来、トラクタの後側に耕耘ロータリ作業機またはプラウなどを昇降自在に装設し、このロータリ作業機などによって耕耘作業を行うが、耕耘作業時のトラクタ走行速度を速くしてできるだけ早く作業を終了することが望まれていた。
【０００３】
【発明が解決しようとする課題】
前記従来技術は、走行速度を早くすることにより耕耘作業能率を向上させることができるが、耕耘作業時の直進走行と圃場枕地の旋回とでは走行速度の差が大きくなるから、ロータリ作業機を昇降させる昇降シリンダと、ロータリ作業機を左右傾斜調節して耕盤に略平行に支持する水平シリンダを設けた場合、走行速度が遅いときのエンジン出力によって昇降及び水平シリンダを確実に作動させる必要があり、そのため高速走行時に各シリンダ駆動力が余分に確保され、不経済となる不具合が生じる。
【０００４】
【課題を解決するための手段】
然るに、本発明は、上記課題を解決する為に次の如く構成したものである。
トラクタ（１）に対地作業機（１４）を昇降自在に支持させる昇降シリンダ（６３）を設けると共に、対地作業機（１４）を左右傾斜調節自在に支持させる水平シリンダ（６５）を設け、昇降シリンダ（６３）の昇降制御油量と水平シリンダ（６５）の水平制御油量を、作業モードによって自動的に変更するコントローラ（７９）を設ける移動農機において、水平シリンダ（６５）の制御油量または昇降シリンダ（６３）の制御油量の一方を増大させもう一方を減少させる切換バルブ（７３）と、ロータリ作業機（１４）の上昇によってエンジン（２）の回転を下げかつ下降によってエンジン（２）の回転を上げる枕地旋回スイッチ（７５）と、圃場枕地を耕耘しながら走行するときにオンにすることにより、水平シリンダ（６５）の水平制御油量を増加させ、かつ昇降シリンダ（６３）の昇降制御油量を減少させる枕地耕耘スイッチ（８５）とを設け、ロータリ作業機（１４）の上昇によってエンジン（２）の回転を下げかつ昇降シリンダ（６３）の制御油量を増加させる一方、ロータリ作業機（１４）の下降によってエンジン（２）の回転を上げて元に戻しかつ水平シリンダ（６５）の制御油量を増加させるものである。
【０００５】
【実施例】
以下、本発明の実施例を図面に基づいて詳述する。図１は耕耘制御回路図、図２は全体の側面図、図３は同平面図、図４は耕耘ロータリ作業機部の側面図である。図中（１）は走行車であるトラクタであり、エンジン（２）を内設させるボンネット（３）両側に左右の前走行輪（４）（４）を装設させ、前記ボンネット（３）後部に操向ハンドル（５）を設け、該ハンドル（５）後方に運転席（６）を設置させ、運転席（６）両側外方に左右の後走行輪（７）（７）を装設させると共に、運転席（６）前側のステップ（８）に左右ブレーキペダル（９）（９）及びクラッチペダル（１０）を配設させ、作業者が運転席（６）に座乗して走行移動するように構成している。
【０００６】
また、前記走行輪（４）（７）を駆動するミッションケース（１１）にロワリンク（１２）及びトップリンク（１３）を介して耕耘ロータリ作業機（１４）を取付け、該作業機（１４）をトラクタ（１）後側に昇降自在に装設させるもので、走行主変速レバー（１５）と、前記作業機（１４）を手動操作で昇降させるポジションコントロールレバー（１６）と、前記作業機（１４）を非作業上昇位置及び耕耘作業下降位置にワンタッチ動作で昇降させる昇降スイッチ（１７）を、運転席（６）の右側に配置させると共に、走行副変速レバー（１８）と、前記作業機（１４）への出力を変更させるＰＴＯ変速レバー（１９）を、運転席（６）の左側に配置させる。
【０００７】
さらに、図４乃至図７に示す如く、前記作業機（１４）の中央にギアボックス（２０）を配置し、トラクタ（１）のＰＴＯ軸（２１）から動力を伝えると共に、前記ギアボックス（２０）側面より両側方にビーム（２２）を突出し、該ビーム（２２）のそれぞれの中途部に支持プレート（２３）を固設し、該支持プレート（２３）の前端にはロワリンク（１２）を連結させ、支持プレート（２３）後端にはデプスフレーム（２４）の前端を枢支し、該デプスフレーム（２４）後端側に左右尾輪（２５）（２５）を設けている。
【０００８】
前記ビーム（２２）の外側端にチェーンケース（２６）上部とサイドサポート（２７）上部が固設され、該チェーンケース（２６）下部とサイドサポート（２７）下部の間に耕耘爪軸（２８）が横架され、該耕耘爪軸（２８）上にナタ爪よりなる多数のロータリ爪（２９）…が側面視で放射状に植設されると共に、該ロータリ爪（２９）の回転軌跡上方がロータリカバー（３０）によって覆われ、両側はサイドカバー（３１）によって覆われている。そして、該耕耘爪軸（２８）はギアボックス（２０）内のギア、ビーム（２２）内の伝動軸、チェーンケース（２６）内のスプロケット及びチェーンを介して駆動され、ロータリ爪（２９）…が回転されることによって耕耘ができると共に、ハンドル（３２）の回転操作によって耕耘爪軸（２８）軸芯を中心にロータリカバー（３０）を前後に回転させることができるようにしている。
【０００９】
そして、前記ビーム（２２）に固定するプレート（３３）を前方に突設させ、該プレート（３３）前端に支持杆（３４）が横架され、該支持杆（３４）に取付プレート（３５）が固定され、該取付プレート（３５）に切断刃（３６）の上部が固定されている。なお、切断刃（３６）を左右幅方向でロワーリンク（１２）より機外側方に４本装着すると共に、切断刃（３６）の中間部は後方に湾曲させ、前後に傾斜させる切断刃（３６）の直線形下部を前記ロータリ爪（２９）の回転軌跡の前部内に後傾形に臨ませている。つまり、側面視において切断刃（３６）の下部がロータリ爪（２９）の回転軌跡の前部でオーバーラップするように配置させると共に、切断刃（３６）とこれに隣り合うロータリ爪（２９）の左右方向間隔は狭くして残耕ができないようにしている。但し、外側２本の切断刃（３６）（３６）はロータリ爪（２９）と偏心爪（３７）の間に設ける。また、切断刃（３６）の後面とロータリカバー（３０）の間には仕切板（３８）が配設されている。即ち、該仕切板（３８）は切断刃（３６）の背面に固設されており、仕切板（３８）をロータリカバー（３０）に接近させて、藁や雑草等が入り込み絡み付かないようにしている。また、仕切板（３８）は三角形状に構成されて、上部の辺はロータリカバー（３０）の内側の形状に合わせ、前部の辺は切断刃（３６）の後面の形状に合わせて密着して固定できるようにし、後部の辺は円弧状として藁等を下方へ導く形状としている。そして、仕切板（３８）の幅（板厚）は切断刃（３６）の幅より狭くして、藁や雑草等が絡みつかないようにしている。
【００１０】
さらに、ロータリ爪（２９）上側のロータリカバー（３０）後端に第１支点軸（３９）を介して鋼板製第１リヤカバー（４０）を上下方向に揺動自在に連結させ、第１リヤカバー（４０）後端にゴム製第２リヤカバー（４１）前端を固定させ、下方に均し空間（４２）を形成する第２リヤカバー（４１）後端に鋼板製第３リヤカバー（４３）前端を固定させると共に、第１リヤカバー（４０）後端部の第２支点軸（４４）と第３リヤカバー（４３）前端部の第３支点軸（４５）を左右一対のリンク（４６）（４６）によって連結させ、第３支点軸（４５）と略同軸上に第４支点軸（４７）を設け、第４支点軸（４７）に第１吊下ロッド（４８）下端を連結させ、第３リヤカバー（４３）後端部の第５支点軸（４９）に左右一対の第２吊下ロッド（５０）下端を連結させ、第１リヤカバー（４０）の支持体（５１）に第１及び第２吊下ロッド（４８）（５０）上端側を昇降自在に取付け、各吊下ロッド（４８）（５０）と第３リヤカバー（４３）によって側面視三角形を形成させ、また第２及び第３及び第５支点軸（４４）（４５）（４９）を結ぶ線によって側面視三角形を形成させたもので、第２支点軸（４４）または第３支点軸（４５）を中心に第３リヤカバー（４３）を上方移動させ、第２支点軸（４４）及び支持体（５１）の吊下ロッド（４８）（５０）連結部を支点とした前記カバー（４３）及び各ロッド（４８）（５０）の両てこ機構の動作により各ロッド（４８）（５０）の下方突張りによって前方移動が規制される第３リヤカバー（４３）を後上方に移動させ、第３リヤカバー（４３）両側部が平面視で前後移動するフローティング動作を行わせる。また、第５支点軸（４９）と第１リヤカバー（４０）の支持体（５１）間に左右一対のガスダンパ（５２）を連結させたもので、全ストローク略一定のバネ定数が得られかつストロークも大きく形成できるガスダンパ（５２）によって第３リヤカバー（４３）を支持させ、トラクタ（１）が左右に傾いても第３リヤカバー（４３）の左右均等な加圧によって耕耘面を均すことができるように構成している。
【００１１】
また、前記吊下ロッド（４８）（５０）上端側を支持体（５１）…の軸受体（５３）…に遊嵌挿入させ、軸受体（５３）…の上面側に当接するピン（５４）…を前記ロッド（４８）（５０）に植設させ、前記ロッド（４８）（５０）の下方抜出しを防ぎ、第３リヤカバー（４３）の前方移動を制限すると共に、スプリング（５５）（５５）を巻装させた左右一対のロッド（５６）（５６）下端を第１リヤカバー（４０）上面に連結させ、前記ロッド（５６）上端側をロータリカバー（３０）の支持体（５７）に摺動自在に取付け、第１リヤカバー（４０）をスプリング（５５）によって下方に弾圧するように構成している。
【００１２】
また、前記第３リヤカバー（４３）上面にレーキ支持体（５８）を着脱自在に固定させ、該支持体（５８）に固定させるレーキ（５９）を第３リヤカバー（４３）後方に延出させると共に、図６に示す如く、第２吊下ロッド（５０）上端側を取付ける支持体（５１）の軸（６０）に前記ガスダンパ（５２）上端を連結させ、第２吊下ロッド（５０）とガスダンパ（５２）を可及的に接近させて略平行に設けると共に、前記デプスフレーム（２４）後端に支持フレーム（６１）を介して左右一対の尾輪（２５）（２５）を取付け、左右尾輪（２５）（２５）間に前記レーキ（５９）を配設させるもので、枕地方向転換時に畦などにレーキ（５９）が衝突するのを前記尾輪（２５）によって防止すると共に、路上走行または上方に持上げての保守作業などにおいてレーキ（５９）左右外側のバンパとして尾輪（２５）を兼用させるように構成している。
【００１３】
さらに、ロータリ爪（２９）の回転軌跡上端と略同じ高さまたはそれ以上に高い位置に第１支点軸（３９）を取付け、耕耘作業時に第１支点軸（３９）を中心にリヤカバー（４０）（４１）（４３）が上昇することにより、ロータリ爪（２９）の回転軌跡後方でリヤカバー（４０）（４１）（４３）下方に大きな面積の均し空間（４２）が形成され、リヤカバー（４０）（４１）（４３）によって前方に押す土がロータリ爪（２９）の土跳ね上げ部に至るのを防止し、高速走行での耕耘作業によるロータリ爪（２９）の耕耘負荷増加を防止するもので、耕耘作業時、ロータリ爪（２９）が地上に抜出する地点（Ａ）を中心とする半径の円弧線上に、リヤカバー（４０）（４１）（４３）が耕土によって持上げられて配置され、ロータリ爪（２９）の回転軌跡の面積の約５０パーセント以上の大きさの均し空間（４２）をロータリ爪（２９）回転軌跡後側とリヤカバー（４０）（４１）（４３）の間に形成させ、細かい土塊または軽い土塊など小形物がロータリ爪（２９）によってロータリカバー（４０）（４１）下面の高位置に飛散され、大きい土塊または重い土塊または切り株（稲株）など大形物がロータリ爪（２９）によって低い位置に飛散され、ロータリ爪（２９）の飛散による比重分離作用によって小形物が上層となり、また大形物が下層となり、上層の小形物がリヤカバー（４１）（４３）によって均平にされ、後方のレーキ（５９）によって大形物がさらに下方に押下げられる。従って、大形物によって培土内部の通気性及び通水性が良好に保たれると共に、播種または苗移植に適した状態に培土表層部が小形物によって形成される。
【００１４】
さらに、前記耕耘爪軸（２８）を中心に同一円周上に９０度の間隔で４本のロータリ爪（２９）…を取付け、各ロータリ爪（２９）先端側を交互に左右方向に向けて湾曲させ、耕耘爪軸（２８）の直交平面上で４本１列のロータリ爪（２９）…を耕耘爪軸（２８）軸芯線方向に複数列設けるもので、左右方向で対向させるロータリ爪（２９）（２９）の先端軌跡間に間隙を設け、ロータリ爪（２９）の左右側方湾曲幅を先端軌跡間隙の約２倍の大きさとし、左右方向のロータリ爪（２９）（２９）基端間隔が先端軌跡間隙の約５倍の大きさになるようにロータリ爪（２９）を形成している。
また、前記ロータリ爪（２９）は土を切取った後に掬取る形状に湾曲させ、ロータリ爪（２９）の先端湾曲部の水平分力により土を横方向に押移動させる力並びにロータリ爪（２９）の弾力変形の横方向の反撥力により掬取り土を耕耘爪軸（２８）軸芯と略平行な横方向に押出し、左右ロータリ爪（２９）（２９）先端軌跡間隙の残耕となる部位の土を破砕させ、残耕が形成されるのを防ぐ構造としたもので、従来のロータリ爪取付け本数の約７０パーセントの本数のロータリ爪（２９）…を取付け、ロータリ爪（２９）の回転速度を従来の回転速度（１分間に約２００〜４００回転）と略同一とし、トラクタ（１）の走行速度を従来の走行速度（１秒間に約０．５メートル）の約２倍とし、従来に比べて耕耘負荷を増大させることなく、作業能率を約２倍にして耕耘作業を行えるように構成している。
また、前記ロータリ爪（２９）の土中突入地点に対し側面視で重複する位置で前記切断刃（３６）を土中に突入させ、切断刃（３６）の土中突入部を後方傾斜支持させ、かつ切断刃（３６）の左右両面を幅を有する偏平面で形成し、牽引により切断刃（３６）が土中に進入する下向きの力と、切開される土が復元力によって切断刃（３６）側面に圧接する力が、切断刃（３６）の抜出し抵抗力として発生し、ロータリ爪（２９）の土中突入抵抗の反力と略等しいか若干大きい切断刃（３６）の抜出し抵抗力により、土中突入抵抗の反力によって耕耘ロータリ作業機（１４）全体が上方に持上げられるのを防ぎ、ロータリ爪（２９）が土中突入によって発生する衝撃を緩和させるように構成している。
なお、耕耘爪軸（２８）後方側では、リヤカバー（４０）（４１）（４３）の均平力の反力（持上げ力）に対向してロータリ爪（２９）抜出し力の反力が発生し、各反力の均衡によって耕耘姿勢を安定させる。
【００１５】
さらに、図８に示す如く、前記ミッションケース（１１）上面に油圧リフト（６２）を設け、油圧リフト（６２）の昇降シリンダ（６３）によって左右リフトアーム（６４）（６４）を上下に揺動させると共に、左右リフトアーム（６４）（６４）と左右ロワーリンク（１２）（１２）を左右水平シリンダ（６５）（６５）によって連結させ、左右リフトアーム（６４）と連動させて左右ロワーリンク（１２）（１２）を上下に揺動させ、非耕耘作業位置乃至耕耘作業位置にロータリ作業機（１４）を昇降させる一方、互に逆方向に略等量連動作動する左右水平シリンダ（６５）（６５）のピストン（６６）（６６）出入により左右ロワーリンク（１２）（１２）を各別に上下に揺動させ、圃場耕盤と略平行になるようにロータリ作業機（１４）を左右に傾斜調節するように構成している。
【００１６】
さらに、図９に示す如く、昇降シリンダ（６３）を作動制御する電磁油圧昇降バルブ（６７）と、左右水平シリンダ（６５）（６５）を作動制御する電磁油圧水平バルブ（６８）と、エンジン（２）によって駆動する油圧ポンプ（６９）と、フロープライオリティー大流量バルブ（７０）及び中流量バルブ（７１）及び小流量バルブ（７２）と、各大中小流量バルブ（７０）（７１）（７２）のいずれかを介して昇降及び水平バルブ（６７）（６８）に油圧ポンプ（６９）からの作動油を供給する電磁油圧油量切換バルブ（７３）を設ける。
そして、中立位置の油量切換バルブ（７３）と中流量バルブ（７１）を介して油圧ポンプ（６９）を昇降及び水平バルブ（６７）（６８）に連通させ、水平シリンダ（６５）を作動させる水平制御油量と昇降シリンダ（６３）を作動させる昇降制御油量を一定割合に維持し、水平シリンダ（６５）及び昇降シリンダ（６３）の両方を所定の速度で作動させると共に、油量切換バルブ（７３）を切換えることにより大流量バルブ（７０）または小流量バルブ（７２）を介して油圧ポンプ（６９）が昇降及び水平バルブ（６７）（６８）に接続されるもので、大流量バルブ（７０）を介して油圧ポンプ（６９）を昇降及び水平バルブ（６７）（６８）に連通させることにより、水平制御油量が増加して水平シリンダ（６５）動作速度が早くなり、かつ昇降制御油量が減少して昇降シリンダ（６３）動作速度が遅くなると共に、小流量バルブ（７２）を介して油圧ポンプ（６９）を昇降及び水平バルブ（６７）（６８）に連通させることにより、前記と逆に、水平制御油量が減少して水平シリンダ（６５）動作速度が遅くなり、かつ昇降制御油量が増加して昇降シリンダ（６３）動作速度が早くなるように構成している。
【００１７】
前記のように水平シリンダ（６５）動作速度が早くなることにより、高速走行によって耕耘作業を行っても、水平シリンダ（６５）の水平制御動作が追従して適正に行われると共に、このときに昇降シリンダ（６３）動作速度が遅くなっても、ロータリ作業機（１４）を非耕耘作業位置にまで上昇させることがないから、昇降動作に不具合が生じない。また、昇降シリンダ（６３）動作が早くなることにより、圃場枕地でのロータリ作業機（１４）の非耕耘作業位置乃至耕耘作業位置への昇降動作が敏速に行われると共に、このときに水平シリンダ（６５）動作速度が遅くなっても、耕耘作業を中止しているから、水平制御動作に不具合が生じない。
【００１８】
さらに、図１に示す如く、エンジン（２）を高回転維持して高速耕耘作業を行わせる高速耕耘スイッチ（７４）と、ロータリ作業機（１４）の非耕耘作業位置上昇によってエンジン（２）回転を下げる枕地旋回スイッチ（７５）と、昇降スイッチ（１７）と、エンジン（２）の回転数を増減させる電子ガバナの調速モータ（７６）を作動させるエンジン出力回路（７７）と、ロワーリンク（１２）を介してロータリ作業機（１４）を昇降させる油圧昇降シリンダ（６３）を制御するための電磁油圧昇降バルブ（６７）を作動させる昇降回路（７８）を、マイクロコンピュータで構成する耕耘コントローラ（７９）に接続させる。また、昇降シリンダ（６３）によって昇降させるロータリ作業機（１４）の支持高さ（耕耘作業位置乃至非耕耘作業位置）を検出するポテンショメータ型リフトアームセンサ（８０）を、前記耕耘コントローラ（７９）に接続させるもので、ロータリ作業機（１４）の上昇によってエンジン（２）回転を下げ、かつ下降によってエンジン（２）回転を上げる動作を自動的に行わせるように構成している。
【００１９】
また、トラクタ（１）またはロータリ作業機（１４）に取付けてロータリ作業機（１４）の左右傾斜を検出する水平センサ（８１）と、左右水平シリンダ（６５）（６５）のピストン（６６）出入量を夫々検出する左右位置センサ（８２）（８３）と、左右水平シリンダ（６５）（６５）を同時に逆方向動作させるための水平バルブ（６８）を作動させる水平制御回路（８４）と、圃場枕地を耕耘するときにオンにする枕地耕耘スイッチ（８５）を、前記耕耘コントローラ（７９）に接続させるもので、トラクタ（１）に対地作業機である耕耘ロータリ作業機（１４）を昇降自在に支持させると共に、ロータリ作業機（１４）を左右傾斜調節自在に支持させる左右の水平シリンダ（６５）（６５）を設ける移動農機において、高速走行により耕耘作業を行うときに左右の水平シリンダ（６５）（６５）を互に逆の方向に作動させてロータリ作業機（１４）の水平制御を自動的に行う耕耘コントローラ（７９）を設け、水平センサ（８１）の検出結果に基づきロータリ作業機（１４）の両側部を左右の水平シリンダ（６５）（６５）によって逆方向に昇降させて自動的に左右傾斜調節し、従来の単一水平シリンダ水平制御に比べ、水平シリンダ（６５）による水平制御動作を敏速に行わせ、走行速度の高速化により水平制御動作が遅れる等の不具合をなくすと共に、ロータリ作業機（１４）左右幅中央を中心に左右側を昇降させる水平制御動作によってロータリ作業機（１４）の支持高さが殆んど変化することがなく、ロータリ作業機（１４）を所定高さに支持させた状態で水平制御動作を行えるように構成している。なお、左右位置センサ（８２）（８３）は、いずれか一方だけを用いても、上記同様に水平制御が行える。
【００２０】
また、前記油量切換バルブ（７３）を作動させる油量切換回路（８５）を、前記耕耘コントローラ（７９）に接続させるもので、トラクタ（１）に対地作業機である耕耘ロータリ作業機（１４）を昇降自在に支持させる昇降シリンダ（６３）を設けると共に、ロータリ作業機（１４）を左右傾斜調節自在に支持させる水平シリンダ（６５）を設ける移動農機において、昇降シリンダ（６３）の昇降制御油量と水平シリンダ（６５）の水平制御油量を、作業モードによって自動的に変更する耕耘コントローラ（７９）を設け、高速走行で耕耘作業を行うときに水平シリンダ（６５）の油圧駆動力を大きくして水平制御動作を行うと共に、圃場枕地で旋回するときに昇降シリンダ（６３）の油圧駆動力を大きくして昇降動作を行い、昇降及び水平シリンダ（６３）（６５）の各機能を損うことなく各シリンダ（６３）（６５）の駆動に必要な油圧力を低減させ、油圧ポンプ（６９）の容量を小さくして油圧駆動構造の簡略化並びに製造コストの低減などを図れるように構成している。
【００２１】
本実施例は上記の如く構成するもので、図１０のフローチャートに示す如く、高速耕耘スイッチ（７４）をオンにして高速耕耘作業を指令すると、エンジン（２）最高回転で高速走行（１秒間に約１．０メートル）により高速耕耘が行われると共に、トラクタ（１）が圃場枕地に到達して昇降スイッチ（１７）によりロータリ作業機（１４）上昇操作を行うと、昇降バルブ（６７）制御によって昇降シリンダ（６３）が作業機上昇動作を行い、ロータリ作業機（１４）を非耕耘作業位置に上昇させ、枕地旋回スイッチ（７５）がオンの状態で、リフトアームセンサ（８０）入力によりロータリ作業機（１４）の非耕耘作業位置が確認されることにより、調速モータ（７６）減速制御によりエンジン（２）回転数下げ動作が行われ、エンジン（２）回転数を約３０パーセント低下させ、枕地旋回に適した走行速度に減速させると共に、左右位置センサ（８２）（８３）出力に基づき水平シリンダ（６５）（６５）を作動させ、トラクタ（１）に対してロータリ作業機（１４）を略平行に支持する水平制御中立復帰動作を行わせる。なお、前記した水平制御中立復帰動作に代え、ロータリ作業機（１４）を前工程と逆の方向（前工程左傾のときは右傾とし、前工程右傾のときは左傾とする）に傾斜させ、往復走行による耕耘作業を行うこともできる。
【００２２】
また、次工程耕耘作業の開始により、昇降スイッチ（１７）によるロータリ作業機（１４）下降操作が確認されると、水平センサ（８１）の検出結果に基づき水平シリンダ（６５）（６５）を作動させる自動水平制御を自動的に開始すると共に、昇降バルブ（６７）制御によって昇降シリンダ（６３）が作業機下降動作を行い、ロータリ作業機（１４）を耕耘作業位置に下降させると共に、調速モータ（７６）増速制御によりエンジン（２）回転数上げ動作が行われ、エンジン（２）回転数を元の最高回転に戻し、次工程での高速耕耘が開始される。
【００２３】
さらに、図１１のフローチャートに示す如く、高速耕耘スイッチ（７４）がオフで高速耕耘作業が行われていないとき、油量切換バルブ（７３）が中立に保持され、水平シリンダ（６５）の水平制御油量と昇降シリンダ（６３）の昇降制御油量を一定保持する中流量バルブ（７１）を介し、油圧ポンプ（６９）からの作動油が昇降及び水平バルブ（６７）（６８）に分配される。
また、高速耕耘スイッチ（７４）がオンのときでエンジン（２）最高回転により高速耕耘作業が行われることにより、ロータリ作業機（１４）が耕耘作業位置に下降のとき、または枕地耕耘スイッチ（８５）がオンのとき、油量切換バルブ（７３）が切換えられ、水平シリンダ（６５）の水平制御油量を増加させかつ昇降シリンダ（６３）の昇降制御油量を減少させる大流量バルブ（７０）を介し、水平バルブ（６８）側に分配する油圧ポンプ（６９）からの作動油量を増加させ、水平シリンダ（６５）動作速度を早くし、かつ昇降バルブ（６３）側に分配する油圧ポンプ（６９）からの作動油量を減少させ、昇降シリンダ（６３）動作速度を遅くする。
さらに、高速耕耘スイッチ（７４）がオンのときでエンジン（２）最高回転により高速耕耘作業が行われる場合で、ロータリ作業機（１４）が下降していないとき、または枕地耕耘スイッチ（８５）がオンになっていないとき、油量切換バルブ（７３）が切換えられ、水平シリンダ（６５）の水平制御油量を減少させかつ昇降シリンダ（６３）の昇降制御油量を増加させる小流量バルブ（７２）を介し、水平バルブ（６８）側に分配する油圧ポンプ（６９）からの作動油量を減少させ、水平シリンダ（６５）動作速度を遅くし、かつ昇降バルブ（６３）側に分配する油圧ポンプ（６９）からの作動油量を増加させ、昇降シリンダ（６３）動作速度を早くする。
【００２４】
さらに、図１２のフローチャートに示す如く、高速耕耘スイッチ（７４）がオンのときで、ロータリ作業機（１４）が下降しているとき、左右位置センサ（８２）（８３）入力並びに水平センサ（８１）入力によりロータリ作業機（１４）の左または右方向傾斜が判断され、ロータリ作業機（１４）の傾斜変化量が所定以上のとき、油量切換バルブ（７３）の切換により、水平シリンダ（６５）の水平制御油量を増加させかつ昇降シリンダ（６３）の昇降制御油量を減少させる大流量バルブ（７０）を介し、昇降及び水平バルブ（６７）（６８）に油圧ポンプ（６９）を接続させる一方、ロータリ作業機（１４）の傾斜変化量が所定以下のとき、油量切換バルブ（７３）の切換により、水平シリンダ（６５）の水平制御油量を減少させかつ昇降シリンダ（６３）の昇降制御油量を増加させる小流量バルブ（７２）を介し、昇降及び水平バルブ（６７）（６８）に油圧ポンプ（６９）を接続させる。
そして、ロータリ作業機（１４）が左側に傾斜する左傾のとき、左水平シリンダ（６５）の左上げ動作と右水平シリンダ（６５）の右下げ動作によりロータリ作業機（１４）の左傾を修正すると共に、ロータリ作業機（１４）が右側に傾斜する右傾のとき、左水平シリンダ（６５）の左下げ動作と右水平シリンダ（６５）の右上げ動作によりロータリ作業機（１４）の右傾を修正し、ロータリ作業機（１４）を略水平に支持して耕耘作業を行わせる。
【００２５】
【発明の効果】
以上実施例から明らかなように本発明は、トラクタ（１）に対地作業機（１４）を昇降自在に支持させる昇降シリンダ（６３）を設けると共に、対地作業機（１４）を左右傾斜調節自在に支持させる水平シリンダ（６５）を設け、昇降シリンダ（６３）の昇降制御油量と水平シリンダ（６５）の水平制御油量を、作業モードによって自動的に変更するコントローラ（７９）を設ける移動農機において、水平シリンダ（６５）の制御油量または昇降シリンダ（６３）の制御油量の一方を増大させもう一方を減少させる切換バルブ（７３）と、ロータリ作業機（１４）の上昇によってエンジン（２）の回転を下げかつ下降によってエンジン（２）の回転を上げる枕地旋回スイッチ（７５）と、圃場枕地を耕耘しながら走行するときにオンにすることにより、水平シリンダ（６５）の水平制御油量を増加させ、かつ昇降シリンダ（６３）の昇降制御油量を減少させる枕地耕耘スイッチ（８５）とを設け、ロータリ作業機（１４）の上昇によってエンジン（２）の回転を下げかつ昇降シリンダ（６３）の制御油量を増加させる一方、ロータリ作業機（１４）の下降によってエンジン（２）の回転を上げて元に戻しかつ水平シリンダ（６５）の制御油量を増加させるもので、駆動構造の簡略化並びに製造コストの低減などを容易に図り得るものである。
また、従来技術の不具合である、走行速度を早くすることにより耕耘作業能率を向上させることができるが、耕耘作業時の直進走行と圃場枕地の旋回とでは走行速度の差が大きくなるから、ロータリ作業機を昇降させる昇降シリンダと、ロータリ作業機を左右傾斜調節して耕盤に略平行に支持する水平シリンダを設けた場合、走行速度が遅いときのエンジン出力によって昇降及び水平シリンダを確実に作動させる必要があり、そのため高速走行時に各シリンダ駆動力が余分に確保され、不経済となるという点を改善することが出来たものである。
【図面の簡単な説明】
【図１】耕耘制御回路図。
【図２】全体の側面図。
【図３】同平面図。
【図４】耕耘ロータリ作業機の側面図。
【図５】ロータリ爪部の側面図。
【図６】リヤカバーの平面図。
【図７】ロータリ爪部の背面図。
【図８】油圧リフト部の平面図。
【図９】昇降及び水平制御油圧回路図。
【図１０】耕耘制御フローチャート。
【図１１】昇降水平油量制御フローチャート。
【図１２】水平制御フローチャート。
【符号の説明】
（１）  トラクタ（走行車）
（１４）  耕耘ロータリ作業機（対地作業機）
（６３）  昇降シリンダ
（６５）  水平シリンダ
（７９）  コントローラ
【図１】
0003613352.tif 000002
【図２】
0003613352.tif 000003
【図３】
0003613352.tif 000004
【図４】
0003613352.tif 000005
【図５】
0003613352.tif 000006
【図６】
0003613352.tif 000007
【図７】
0003613352.tif 000008
【図８】
0003613352.tif 000009
【図９】
0003613352.tif 000010
【図１０】
0003613352.tif 000011
【図１１】
0003613352.tif 000012
【図１２】
0003613352.tif 000013